(57)【要約】【課題】塗布具によりゲルを簡便かつ速やかに塗布し、塗布品質も向上すること。【解決手段】塗布ヘッド１０の基台１１にゲルを収容したカートリッジ容器２０を着脱可能に取付けたゲル塗布具１であって、カートリッジ容器２０の可撓塗布作業面２４に複数の剤吐出孔２５を設け、この孔２５を剥離可能なシート２６でシールしてなるもの。【選択図】  図１
2004188394.tif 000002
【特許請求の範囲】
【請求項１】
塗布ヘッドの基台にゲルを収容したカートリッジ容器を着脱可能に取付けたゲル塗布具であって、
カートリッジ容器の可撓塗布作業面に複数の剤吐出孔を設け、この孔を剥離可能なシートでシールしてなるゲル塗布具。
【請求項２】
前記カートリッジ容器の外縁部に設けた引掛孔を、塗布ヘッドに設けた引掛部に引掛け可能にしてなる請求項１に記載のゲル塗布具。
【請求項３】
パウチに複数の剤吐出孔を設け、この孔を剥離可能なシートでシールし、パウチの内部にゲルを収容した容器を塗布ヘッドの基台に着脱可能に取付けたゲル塗布具。
【請求項４】
パウチに複数の剤吐出孔を設け、この孔を剥離可能なシートでシールし、パウチの内部にゲルを収容した容器。
【発明の詳細な説明】
【０００１】
【発明の属する技術分野】
本発明はゲル塗布具に関する。
【０００２】
【従来の技術】
塗布具として、特許文献１に記載の如く、塗布ヘッドの基台にワックスを収容したカートリッジ容器を着脱可能に取付け、カートリッジ容器の塗布作業面に複数のワックス吐出孔を鋭利な工具により穿孔し、吐出孔から塗布作業面上に吐出されるワックスを塗布ヘッドの移動により塗布可能にするものがある。
【０００３】
【特許文献１】
USP2011012（1頁、図６）
【０００４】
【発明が解決しようとする課題】
▲１▼塗布具の使用開始時に、鋭利な工具を用いてカートリッジ容器の塗布作業面に穿孔する必要があり、煩雑である。
【０００５】
▲２▼カートリッジ容器を穿孔したときに生じる切粉やバリが塗布作業面に残り、これらが該塗布作業面による塗りむらの原因になる等、塗布品質を損なう。
▲３▼塗布作業面が保管状態で汚染される可能性がある。
【０００６】
本発明の課題は、塗布具によりゲルを簡便かつ速やかに塗布し、塗布品質も向上することにある。
【０００７】
【課題を解決するための手段】
請求項１の発明は、塗布ヘッドの基台にゲルを収容したカートリッジ容器を着脱可能に取付けたゲル塗布具であって、カートリッジ容器の可撓塗布作業面に複数の剤吐出孔を設け、この孔を剥離可能なシートでシールしてなるようにしたものである。ここでゲルとは、難液流動性液剤等をいい、外力を加えたときにその液剤が流動性を有するものをいう。
【０００８】
【発明の実施の形態】
ゲル塗布具１は、図１〜図３に示す如く、塗布ヘッド１０の基台１１に、ゲル（図１のＧ）を収容したカートリッジ容器２０を着脱可能に取付けられて構成される。
【０００９】
塗布具１０は、図３に示す如く、例えば平板状の基台１１の上面に握り部１２を設けられて構成される。基台１１は上面の両側部のそれぞれに複数個の頭付のボルト又は小ねじからなる引掛部１３を取着されて備える。
【００１０】
カートリッジ容器２０は、図３に示す如く、枕状又は扁平状のパウチ２１の両側部に取付シート２２を一体成形又は接合されて備え、両取付シート２２のそれぞれの外縁部に引掛孔２３を備える。カートリッジ容器２０の引掛孔２３は、塗布ヘッド１０の引掛部１３に対応する。
【００１１】
カートリッジ容器２０は、パウチ２１の少なくとも片面、本実施形態では表面を可撓塗布作業面２４とし、この可撓塗布作業面２４に複数の剤吐出孔２５を予め開口し、この剤吐出孔２５を剥離可能な剥離シート２６でシールした後、パウチ２１の内部に親水性ゲル、透明ゲル等のゲルを収容して構成される。剥離シート２６は、片面粘着シート等からなり、剤吐出孔２５のための易開封シールを構成し、粘着剤等による剥離可能な接着状態でパウチ２１の塗布作業面２４の表面に貼付けられ、パウチ２１に収容されるゲルが剤吐出孔２５から漏れ出ることを防止する。カートリッジ容器２０は、ゲルの保存容器としての機能と、吐出塗布機能を兼ね備えるものになる。
【００１２】
塗布具１の使用手順は以下の如くになる。
(1)カートリッジ容器２０のパウチ２１の外縁部に設けた引掛孔２３を、塗布ヘッド１０の基台１１に設けた引掛部１３に引掛ける（図２）。これにより、カートリッジ容器２０のパウチ２１が塗布ヘッド１０の基台１１の下面に取付けられる。
【００１３】
(2)塗布ヘッド１０に取付けられたカートリッジ容器２０のパウチ２１の塗布作業面２４から剥離シート２６を剥ぎ取る。これにより、パウチ２１の剤吐出孔２５が開封される。パウチ２１に収容されているゲルとしては、粘度が比較的高く、流動性の劣るものが好適であり、シート２６を剥ぎ取っただけでは吐出しにくい。
【００１４】
(3)塗布ヘッド１０の握り部１２を手で持ち、基台１１の下面に取付けてあるパウチ２１の塗布作業面２４をガラス板等の塗布対象物に加圧しながら摺動する。塗布ヘッド１０の加圧動作によりパウチ２１が圧縮変形せしめられてパウチ２１の内部のゲルが剤吐出孔２５から塗布作業面２４の表面に搾り出される（図１（Ａ））。塗布作業面２４の表面に搾り出されたゲルは、塗布ヘッド１０の摺動動作により、塗布対象物の表面に塗り広げられる（図１（Ｂ））。
【００１５】
(4)ゲルが使用し尽くされたカートリッジ容器２０は、パウチ２１の引掛孔２３を基台１１の引掛部１３から取外して塗布ヘッド１０から撤去され、使い捨てられる。新たなカートリッジ容器２０が上述(1)により塗布ヘッド１０に取付けられ、上述(2)、(3)により継続塗布される。
【００１６】
尚、天然多糖類、例えばカルボキシメチルセルロース（ＣＭＣ）、ゲランガム等の透明な親水性ゲルをガラス板等に塗布して塗膜を形成したとき、ガラス板等の透明性を損なうことなく、親水性ゲルの吸湿性によってコーティング等の機能性を付与させることができる。
【００１７】
本実施形態によれば以下の作用効果がある。
（請求項１に対応する作用効果）
▲１▼塗布具１の使用開始時に、カートリッジ容器２０の塗布作業面２４に貼付けてある剥離シート２６を剥がすだけでゲルの剤吐出孔２５を開封することができ、ゲルを簡便かつ速やかに塗布できる。
【００１８】
▲２▼カートリッジ容器２０の塗布作業面２４は、使用開始前の保管段階では剥離シート２６により覆われていて異物や油分の付着、汚れを生ずることがないし、使用開始時の剤吐出孔２５の開封に際しても異物の発生を伴なわないから、塗布作業面２４による塗布品質を向上できる。
【００１９】
例えば、親水性ゲルの使用時に、塗布作業面２４に油分の付着がなく、油分に起因する塗りむらを生ずることがない。また、透明ゲルの使用時に、塗布作業面２４に異物の付着がなく、ガラス板等の塗布対象物への異物の転写によってゲルの透明性を損なうこともない。
【００２０】
（請求項２に対応する作用効果）
▲３▼カートリッジ容器２０の外縁部に設けた引掛孔２３を塗布ヘッド１０に設けた引掛部１３に引掛け可能にすることにより、カートリッジ容器２０を塗布ヘッド１０の基台１１に簡易に着脱できる。
【００２１】
（請求項３、４に対応する作用効果）
▲４▼ゲルを収容したパウチ２１からなるカートリッジ容器２０を用いて、上述▲１▼〜▲３▼を実現できる。
【００２２】
尚、ゲルとして天然多糖類等の親水性ゲルを用いた場合にはガラス板等の塗布膜にして用いたとき、透明な被膜を形成しコーティング等の機能性を付与される。
【００２３】
【発明の効果】
本発明によれば、塗布具によりゲルを簡便かつ速やかに塗布し、塗布品質も向上することができる。
【図面の簡単な説明】
【図１】図１は塗布具の使用状態を示す模式図である。
【図２】図２は塗布具の塗布ヘッドにカートリッジ容器を取付けた状態を示す模式図である。
【図３】図３は塗布具の塗布ヘッドとカートリッジ容器を示す模式図である。
【符号の説明】
１  ゲル塗布具
１０  塗布ヘッド
１１  基台
１３  引掛部
２０  カートリッジ容器
２１  パウチ
２３  引掛孔
２４  塗布作業面
２５  剤吐出孔
２６  剥離シート
【図１】
2004188394.tif 000003
【図２】
2004188394.tif 000004
【図３】
2004188394.tif 000005